(57)【特許請求の範囲】
【請求項１】
ベース板に垂直な方向に沿ってベース板に連設された軸受筒と、該軸受筒内に保持される軸受と、該軸受により回転自在に保持される駆動シャフトと、該駆動シャフトに固着され該駆動シャフトを軸として前進及び後退揺動する打球杵と、前記駆動シャフトに遊嵌された調節リングと、該調節リングの一方向への回転を規制するリングストッパと、前記駆動シャフトに連結されて該駆動シャフトと共回りするバネ端保持部材と、前記調節リングを前記リングストッパ側に回転させる方向の付勢力を発生する基底的な捻れ変形量を与えられて、一方の端部を前記調節リングに保持され他方の端部を前記バネ端保持部材に保持されて前記駆動シャフトに遊嵌され、前記打球杵の後退揺動に伴って捻れ変形量を増加して前記打球杵を前進方向に付勢する巻バネと、操作ダイヤルの回転変位量に応じて前記調節リングを回転させる変位伝達機構と、モータを駆動源として回転し前記駆動シャフトに連結されているヒットアームに力を及ぼして前記打球杵を後退変位させる側に前記ヒットアームを変位させてから該ヒットアームを解放する駆動カムと、前記バネ端保持部材の前記駆動シャフトの周方向に沿った相対位置を変化させることにより前記巻バネの基底的な捻れ変形量を調節する基底変形量調節機構とを備える遊技球発射装置において、
前記ベース板の前面側に前記打球杵および前記駆動カムを配し、
前記ベース板の背面側に前記モータを配し該モータに供給する電力を通断するモータ制御基板を２枚の基板にて構成し、前記ベース板の背面に取付けられた透明なプラスチック製の２つの基板ケースに前記２枚の基板をそれぞれ収容することにより、前記ベース板に平行に該ベース板の背面に取付けた
ことを特徴とする遊技球発射装置。
【請求項２】
請求項１記載の遊技球発射装置において、
前記変位伝達機構として、
前記ベース板の前面側に配されて前記操作ダイヤルの回転に応じて回転する操作ギヤと、
前記ベース板の前面側に配される回転自在な連動ギヤと、
前記操作ギヤと連動ギヤとに巻回されるタイミングベルトと、
前記ベース板の背面側に配されて前記連動ギヤと同軸に連結されて共回りし、前記調節リングに設けられたギヤ部と歯合される回動ギヤと
を備えたことを特徴とする遊技球発射装置。
【発明の詳細な説明】
【０００１】
【発明の属する技術分野】
本発明は、弾球遊技機に装着される遊技球発射装置の技術分野に属している。
【０００２】
【従来の技術】
普通、パチンコ機等の弾球遊技機は遊技球を発射するための遊技球発射装置を備えている。
遊技球発射装置の構造はさまざまなものが提案され、また実用化されているが、その一種として打球杵に前進力を与える前進付勢手段として巻バネを使用するものがある。この形式の遊技球発射装置は、ベース板に垂直な方向に沿ってベース板に連設された軸受筒、軸受筒内に保持される軸受、軸受により回転自在に保持される駆動シャフト、駆動シャフトに固着され駆動シャフトを軸として前進及び後退揺動する打球杵、駆動シャフトに遊嵌された調節リングと、調節リングの一方向への回転を規制するリングストッパ、駆動シャフトに連結されて駆動シャフトと共回りするバネ端保持部材、調節リングをリングストッパ側に回転させる方向の付勢力を発生する基底的な捻れ変形量を与えられて、一方の端部を調節リングに保持され他方の端部をバネ端保持部材に保持されて駆動シャフトに遊嵌され、打球杵の後退揺動に伴って捻れ変形量を増加して打球杵を前進方向に付勢する巻バネ、操作ダイヤルの回転変位量に応じて調節リングを回転させる変位伝達機構、モータを駆動源として回転し駆動シャフトに連結されているヒットアームに力を及ぼして打球杵を後退変位させる側にヒットアームを変位させてからヒットアームを解放する駆動カム及びバネ端保持部材の駆動シャフトの周方向に沿った相対位置を変化させることにより巻バネの基底的な捻れ変形量を調節する基底変形量調節機構とを備えるのが普通である。
【０００３】
また、遊技球発射装置にはモータに供給する電力を通断するモータ制御基板が付属している。
ところで、弾球遊技機の部品配置などの都合から遊技球発射装置の小型化が要求され、ベース板自体も小さくされてきた。これに伴い、例えば１枚の基板の表裏にＩＣ、抵抗、コンデンサ等の部品を配したり、基板を２層にする等によってモータ制御基板の小型化も行われてきた。
【０００４】
【発明が解決しようとする課題】
しかしながら、例えば遊技球発射装置の単位時間当たりの発射個数（現状では毎分１００発未満と規定されている）を増加させたり、発射のタイミングを他の装置の動作と同期あるいは非同期とする目的でモータ制御基板を不正に改造する行為も皆無ではなかった。
【０００５】
このため、モータ制御基板の検査や点検を行い易くするために、基板の表面だけにＩＣ、抵抗、コンデンサ等の電気部品を配し、また基板を複層にせず、しかも見やすい場所に見やすい状態で設置する（例えば電気部品が配されている面をベース板と反対側にしてベース板に平行に、しかも他の部品によって視線を遮られない状態でベース板上に設置する）ことが求められていた。
【０００６】
モータ制御基板をこのような片面だけに部品を配する１層構造とすると、基板の必要面積が大きくなり、当然ながら大型化が避けられない。また、ベース板に平行に設置することはモータ制御基板が占有する面積が大きくなり、他の部品の設置スペースを制限することになる。
【０００７】
この、モータ制御基板の大型化と専有面積の増大に対処するには、ベース板を大きくすればよいのだが、それでは遊技球発射装置の小型化に逆行し、これまでに積み重ねられてきた小型化のための努力（構成部品の小型化、部品点数の削減等）を無駄なものにしかねない。
【０００８】
本発明は、モータ制御基板が大型化しベース板上での占有面積が大きくなっても、ベース板の寸法の大型化を回避し、ひいては遊技球発射装置の大型化を防止することを目的としている。
【０００９】
【課題を解決するための手段および発明の効果】
上記課題を解決するための請求項１記載の遊技球発射装置は、ベース板に垂直な方向に沿ってベース板に連設された軸受筒と、該軸受筒内に保持される軸受と、該軸受により回転自在に保持される駆動シャフトと、該駆動シャフトに固着され該駆動シャフトを軸として前進及び後退揺動する打球杵と、前記駆動シャフトに遊嵌された調節リングと、該調節リングの一方向への回転を規制するリングストッパと、前記駆動シャフトに連結されて該駆動シャフトと共回りするバネ端保持部材と、前記調節リングを前記リングストッパ側に回転させる方向の付勢力を発生する基底的な捻れ変形量を与えられて、一方の端部を前記調節リングに保持され他方の端部を前記バネ端保持部材に保持されて前記駆動シャフトに遊嵌され、前記打球杵の後退揺動に伴って捻れ変形量を増加して前記打球杵を前進方向に付勢する巻バネと、操作ダイヤルの回転変位量に応じて前記調節リングを回転させる変位伝達機構と、モータを駆動源として回転し前記駆動シャフトに連結されているヒットアームに力を及ぼして前記打球杵を後退変位させる側に前記ヒットアームを変位させてから該ヒットアームを解放する駆動カムと、前記バネ端保持部材の前記駆動シャフトの周方向に沿った相対位置を変化させることにより前記巻バネの基底的な捻れ変形量を調節する基底変形量調節機構とを備える遊技球発射装置において、
前記ベース板の前面側に前記打球杵および前記駆動カムを配し、前記ベース板の背面側に前記モータを配し該モータに供給する電力を通断するモータ制御基板を２枚の基板にて構成し、前記ベース板の背面に取付けられた透明なプラスチック製の２つの基板ケースに前記２枚の基板をそれぞれ収容することにより、前記ベース板に平行に該ベース板の背面に取付けたことを特徴とする。
【００１０】
この遊技球発射装置においては、揺動する打球杵および回転する駆動カムをベース板の前面側に配したので、打球杵の揺動領域、駆動カムの回転領域（事実上他の部品を配置できない領域）はベース板の前面側に集中される。ベース板の背面側は、そうした揺動や回転する部材のための領域を設ける必要はないから、ベース板の部品設置面積をフルに使用でき、モータを取付け、モータ制御基板をベース板に平行に取付けることが可能になる。モータ制御基板が大型化しベース板上での占有面積が大きくなっても、ベース板を大型化する必要はなく、ひいては遊技球発射装置の大型化を防止することができる。
【００１１】
なお、巻バネ、調節リング、バネ端保持部材、基底変形量調節機構もベース板の背面側に配することができる。
ところで、従来の遊技球発射装置における変位伝達機構は、操作ダイヤルの回転軸によって回転される操作ギヤ、調節リングの外周に設けられたギヤ部に歯合する従動ギヤ及びこれら操作ギヤと従動ギヤの間に介在する中継ギヤから構成されていた。このような変位伝達機構を備えることにより、操作ダイヤルの回転に応じて調節リングを回転させ、調節リングに保持されている巻バネの一方の端部とバネ端保持部材に保持されている他方の端部との相対位置を変化させて、巻バネの捻れ変形量すなわち発射力の強さを調節することができた。
【００１２】
しかし、操作ダイヤルの取付位置すなわちその回転軸の位置は弾球遊技機のメーカーや機種によってさまざまであり一律ではなかった。このため、回転軸に接続される操作ギヤの位置もさまざまになり、それに応じて例えば中継ギヤや従動ギヤのサイズや取付位置を変更する必要があった。つまり、従来の遊技球発射装置においては、操作ギヤ、従動ギヤ及び中継ギヤの取付位置と寸法がさまざまであり、設計及び製造面での遊技球発射装置のメーカーの負担が大きかった。
【００１３】
しかしながら、請求項２記載の遊技球発射装置は、請求項１記載の遊技球発射装置において、前記変位伝達機構として、前記ベース板の前面側に配されて前記操作ダイヤルの回転に応じて回転する操作ギヤと、前記ベース板の前面側に配される回転自在な連動ギヤと、前記操作ギヤと連動ギヤとに巻回されるタイミングベルトと、前記ベース板の背面側に配されて前記連動ギヤと同軸に連結されて共回りし、前記調節リングに設けられたギヤ部と歯合される回動ギヤとを備えたことを特徴とする。
【００１４】
この請求項２記載の遊技球発射装置では、例えば遊技者が操作ダイヤルを回転操作すると操作ギヤが回転される。操作ギヤが回転するとこれに巻回されているタイミングベルトを介して連動ギヤが回転し、それに伴い回動ギヤが回転する。すると、ギヤ部が回動ギヤと歯合している調整リングが回転し、調節リングに保持されている巻バネの一方の端部とバネ端保持部材に保持されている他方の端部との相対位置が変化して、巻バネの捻れ変形量が増加する。一方、操作ダイヤルが戻されると、操作ギヤ、タイミングベルト、連動ギヤ及び回動ギヤが上記とは反対方向に回転し、調整リングが戻るので巻バネの捻れ変形量が減少する。ただし、リングストッパが調節リングの回転を規制するので、巻バネの基底的な捻れ変形量が消滅することはない。
【００１５】
このように、操作ギヤと連動ギヤとをタイミングベルトを介して連動させるので、弾球遊技機のメーカーや機種に応じて操作ダイヤルの取付位置が変更されて操作ギヤの位置の変更が必要になる場合には、操作ギヤの取付位置を変更し、それに応じた周長のタイミングベルトを使用すればよく、さまざまな弾球遊技機のメーカーや機種すなわちさまざまな操作ギヤの位置に合わせて、さまざまな寸法のギヤを用意したり、それらの取付位置を変更する必要はなくなり、設計及び製造面での遊技球発射装置のメーカーの負担は軽減される。
【００１６】
【発明の実施の形態】
次に、本発明の実施例を図面を参照して説明することにより、発明の実施の形態を具体的に説明する。
【００１７】
【実施例】
図１〜図３に示すように、遊技球発射装置１０は、遊技球発射装置１０を構成する各部を支持すると共に、弾球遊技機（図示は省略）に遊技球発射装置１０を取り付けるための部材でもあるベース板１２を備えている。
【００１８】
図１に示すように、ベース板１２の前面１２ａ側には、遊技球を打撃するための打球杵１４、打球杵１４の揺動によって昇降駆動され、遊技球を１球ずつ発射レール（図示は省略）上に供給する遊技球供給装置（図示は省略）を作動させるためのスライダ機構１７、打球杵１４の前進位置を規定し前進揺動を停止させる際の衝撃吸収材としても機能する上ストッパゴム１３ａ並びに下ストッパゴム１３ｂ、変位伝達機構の構成要素である操作ギヤ８６、連動ギヤ８２並びにタイミングベルト８４、駆動カム９８等が配されている。
【００１９】
打球杵１４は、アダプタ７４を介して駆動シャフト２２に固着され、また駆動シャフト２２には先端にアームローラ３０を有するヒットアーム２８も取付けられているが、それらの取付構造については後述する。
駆動カム９８は、図２に示されるようにベース板１２の背面１２ｂに固定されているモータ１８の出力軸１８ａに取付けられているが、その出力軸１８ａはベース板１２に設けられた窓１５を貫通して前面１２ａ側に突出している。
【００２０】
図３に示すように、操作ギヤ８６は、その中心孔８６ａをベース板１２に設けられている操作ギヤ軸８５に外嵌させ座付ビス８７によりベース板１２に取付けられており、操作ギヤ軸８５を軸として回転自在である。また、図１に示されるように操作ギヤ８６には３カ所の扇状の係合穴８８が設けられており、この係合穴８８にはカップリング９０の係合爪９２が係脱可能となっている。カップリング９０に設けられている小判状の軸孔９０ａには、操作ダイヤル１０２のギヤ操作軸１０２ａが嵌合され、操作ダイヤル１０２を回せば操作ギヤ８６を回転させることができる。
【００２１】
連動ギヤ８２は、図３に示されるように、ベース板１２を貫通する回動ギヤ８０の軸８０ａに小判状の嵌合孔８２ａを外嵌させ、さらに座付ビス８３により軸８０ａに螺着されている。これら連動ギヤ８２及び回動ギヤ８０は、軸８０ａを中心に回転自在であり、互いに共回りする。
【００２２】
そして、操作ギヤ８６と連動ギヤ８２には、これらと歯合する歯山を内面に有するタイミングベルト８４が卷回されており、一方が回れば他方も連動して回る。なお、図３に示されるように、操作ギヤ８６の歯山８６ｃの先端は円弧状に成形されており、連動ギヤ８２の歯山も同様に円弧状とされており、タイミングベルト８４が操作ギヤ８６または連動ギヤ８２から脱落するのを防止している。
【００２３】
スライダ機構１７は、図５に示される構造をしている。図５に示すように、スライダ機構１７は、プラスチック製でベース板１２に固定される筒状のケース１９を備えている。ケース１９にはスライド孔１９ａが設けられ、そのスライド孔１９ａにプラスチック製のスライダ２１が挿入されている。スライダ２１は、スライド孔１９ａ内を摺動する基部２１ａ及び筒内摺動部２１ｂ、基部２１ａ側の端部に設けられたローラ軸２１ｃ、筒内摺動部２１ｂに連設された芯保持部２１ｅからなり、芯保持部２１ｅには軸方向に沿った溝２１ｆが設けられている。
【００２４】
スライダ２１は、芯保持部２１ｅを圧縮バネ２３に挿通させた状態で、圧縮バネ２３と共にスライド孔１９ａに挿通されており、溝２１ｆにはスライド孔１９ａ内に突出する一対の突起１９ｂが挿通されている。このため、スライダ２１は、スライド孔１９ａ内を昇降往復可能であるが、溝２１ｆに挿通された突起１９ｂによって回転は阻止される。また、突起１９ｂは圧縮バネ２３がスライド孔１９ａから抜け出すのを阻んでいる。
【００２５】
さらに、スライド孔１９ａから突出している芯保持部２１ｅの先端に設けられた孔２１ｇにはロッドピン２７の端部が嵌入され、その上方からロッドピン２７の内側を貫通する座付きネジ２９がネジ孔２１ｈに螺着されている。
一方、ローラ軸２１ｃにはローラ３１が回転自在に外嵌され、スリットワッシャ３５がローラ３１の脱落を防いでいる。
【００２６】
図１に示すように、スライダ機構１７は、ローラ３１を打球杵１４の突上部１４ａに当接しており、圧縮バネ２３はスライダ２１を押し下げる方向に付勢している。すなわち、ローラ３１は、圧縮バネ２３の付勢力によって突上部１４ａに押し付けられていて、常に突上部１４ａに接している。
【００２７】
図２に示すように、ベース板１２の背面１２ｂには、モータ１８が固定され、基底変形量調節機構を含むバネ収容部２０、モータ制御基板５ａを収容する基板ケース６ａ、モータ制御基板５ｂを収容する基板ケース６ｂが取付けられている。なお、これら基板ケース６ａ、６ｂは透明なプラスチック製で、基板ケース６ａ、６ｂの外側からモータ制御基板５ａ、５ｂを視認できる。また、ベース板１２の背面には調節リング３２の図２における反時計回り方向への回転を規制するリングストッパ７８が立設されている。
【００２８】
次に、図３及び図４を参照して、バネ収容部２０の内部構造等を説明する。
図３およ図び４に示すように、ベース板１２にはベース板１２に垂直な方向に沿って軸受筒１２ｃが連設されており、軸受筒１２ｃ内には軸受２４、２６が保持されている。駆動シャフト２２は、これら軸受２４、２６を貫通し、軸受２４、２６により回転自在に支持されている。駆動シャフト２２の一方の端側には、打球杵１４の突上部１４ａと脚１４ｂとの間に形成されたシャフト溝１４ｃが係合されている。さらに、その打球杵１４に接してヒットアーム２８の角穴２８ａが外嵌されていおり、このヒットアーム２８と打球杵１４を覆うように配されたアダプタ７４の角穴７４ａが駆動シャフト２２に外嵌されている。
【００２９】
図４に示されるように、このアダプタ７４には角柱状の突起７４ｂと板状の押さえ７４ｃが設けられており、角柱状の突起７４ｂはシャフト溝３６ｃに緩みなく挿通され、押さえ７４ｃは突上部１４ａの上側の面に接し、突上部１４ａは突起７４ｂと押さえ７４ｃに挟まれた状態となっている。また、アダプタ７４には位置決ピン７４ｄが設けられており、この位置決ピン７４ｄは打球杵１４のピン孔１４ｄに嵌合している。そして、図３に示すように、これらヒットアーム２８、打球杵１４およびアダプタ７４を、駆動シャフト２２のフランジ２２ｃとで挟み付けるようにして、ナット７５が締め付けられている。このため、ヒットアーム２８および打球杵１４は、駆動シャフト２２と共回りする。なお、図４に示されるように、ヒットアーム２８の先端には、アームピン２８ｂによりアームローラ３０が回転自在に取り付けられている。
【００３０】
図３及び図４に示すように、バネ収容部２０は、外周の一部にギヤ部３２ａを有する調節リング３２、回動端３３ａおよび調整端３３ｂを有する巻バネ３４、ナット３６ａ、３６ｂ、円弧状の遊動穴３８ａとビス軸３９ａ、３９ｂを有する保持キャップ３８、軸穴４０ａ、バネ穴４０ａおよびカム穴４２を有する変位部材４６、圧縮コイルバネ４８、操作軸５６、調整カム５２及び回動鋸歯面５４ａ（図４には示さない）が設けられている円盤部５４を有するカム部材５８、貫通穴６０の周縁部に形成された固定鋸歯面６２およびビス穴６４ａ、６４ｂを有するカバー部材６６、摘６８、芯ビス７０、止めビス７２ａ、７２ｂによって構成されている。
【００３１】
図３に示すように、調節リング３２および巻バネ３４は、ベース板１２に設けられて軸受２４、２６を収容する軸受筒１２ｃに回動変位可能に外嵌されており、巻バネ３４の回動端３３ａは図２及び図３に示すように調節リング３２に係合、保持されている。また、図３に示すように、巻バネ３４の調整端３３ｂは、保持キャップ３８の遊動穴３８ａを貫通し、変位部材４６の長穴４２ａに係合されている。
【００３２】
図３に示すように、巻バネ３４を覆う保持キャップ３８は、ナット３６ａ、３６ｂによって駆動シャフト２２に固着されていて、駆動シャフト２２と共回りする。保持キャップ３８のビス軸３９ａには、変位部材４６の軸穴４０ａが回動可能に外嵌され、カバー部材６６のビス穴６４ａを貫通する止めビス７２ａが螺合している。また、もう一つのビス軸３９ｂには、カバー部材６６のビス穴６４ｂを貫通する止めビス７２ｂが螺合している。従って、このカバー部材６６も駆動シャフト２２と共回りする。
【００３３】
駆動シャフト２２の先端部に穿設されている盲穴７６には、圧縮コイルバネ４８が収容され、カム部材５８を貫通した芯ビス７０先端部が回動自在に内嵌されている。圧縮コイルバネ４８は、芯ビス７０すなわちカム部材５８をカバー部材６６に押しつける方向に付勢しており、この付勢力によって、円盤部５４の回動鋸歯面５４ａとカバー部材６６の固定鋸歯面６２とが歯合している。また、図６に示すように、カム部材５８の調整カム５２は、変位部材４６のカム穴４４に内接し、図３に示すように、操作軸５６には、芯ビス７０によって摘６８が固着されている。このため、摘６８を回動させれば、カム部材５８を回動させることが可能で、この際には、圧縮コイルバネ４８の付勢力に抗して回動鋸歯面５４ａと固定鋸歯面６２との歯合位置を変動させることができると共に、調整カム５２によって変位部材４６を保持キャップ３８のビス軸３９ａを中心に揺動変位させることができる。また、摘６８に及ぼす回動力を解除すれば、回動鋸歯面５４ａと固定鋸歯面６２との歯合を復活させることによって、その位置でカム部材５８とカバー部材６６との相対位置を固定できると共に、変位部材４６の揺動変位位置を保持できる。そして、この変位部材４６の変位位置に応じて、巻バネ３４の調整端３３ｂの駆動シャフト２２に対する回転位置が調節され、巻バネ３４の基底的な捻れ変形量が微調整される。
【００３４】
なお、変位部材４６および保持キャップ３８は、巻バネ３４の一端（調整端３３ｂ）と駆動シャフト２２とを連結するための連結機構も構成している。
図２に示すように、調節リング３２のギヤ部３２ａの端には、ベース板１２に立設されたリングストッパ７８が当接しており、この側への調節リング３２の回動を規制している。また、図３に示すように、調節リング３２のギヤ部３２ａには、回動ギヤ８０が歯合している。
【００３５】
前述したように、この回動ギヤ８０は、ベース板１２の前面側に配されている連動ギヤ８２に連結されていて、連動ギヤ８２と共回りする構造である。また、連動ギヤ８２は、タイミングベルト８４を介して操作ギヤ８６に接続され、操作ギヤ８６はカップリング９０を介して操作ダイヤル１０２のギヤ操作軸１０２ａに接続されている。このような構成により、操作ダイヤル１０２を回動させれば、その回動量を、操作ギヤ８６、タイミングベルト８４、連動ギヤ８２および回動ギヤ８０を介して調節リング３２に伝達し、これを回動変位させることができる。この調節リング３２は、巻バネ３４の回動端３３ａを保持しているので、調節リング３２の回動によって巻バネ３４の捻れ変形量が調節される。
【００３６】
以上のような構成になる遊技球発射装置１０では、モータ１８を稼働させると出力軸１８ａに固着されいる駆動カム９８が図１における反時計回り方向に回転し、ヒットアーム２８の先端にあるアームローラ３０に当接して、これを図１における時計回り方向に変位させる。すると、ヒットアーム２８と共回りする駆動シャフト２２を介して打球杵１４が時計回り方向に揺動変位（後退駆動）させられる。
【００３７】
駆動シャフト２２には変位部材４６を介して巻バネ３４の調整端３３ｂが連結されているので、駆動カム９８によってヒットアーム２８と共に駆動シャフト２２を時計回り回転させると、巻バネ３４をさらにねじれ変化させることになる。そして、駆動カム９８の回転が続くと、やがて駆動カム９８はアームローラ３０から離脱するので、ヒットアーム２８、駆動シャフト２２および打球杵１４の反時計回り変位が可能となり、これらヒットアーム２８及び打球杵１４は、巻バネ３４の復原力によって、駆動シャフト２２と共に反時計回りに回動させられる。この際に、発射レールの基端部（打球位置）に遊技球があれば、その遊技球は、打球杵１４によって打撃されて発射されることになる。また、操作ダイヤル１０２によって調節リング３２を回動させれば、打球杵１４の後退駆動に伴う巻バネ３４の捻れ変形量を調節することができる。つまり、打球杵１４の打撃力（発射力）を調節することができる。
【００３８】
また、この遊技球発射装置１０における、巻バネ３４の基底的な捻れ変形量を微調整するは、次のように行われる。
摘６８を図２における時計回り方向に回動すれば、図６における反時計回り方向にカム部材５８が回動され、調整カム５２が変位部材４６の弓状部４４を押圧する。この結果、変位部材４６が、保持キャップ３８のビス軸３９ａを軸として反時計回り方向に揺動変位される。すると、長穴４２ａに保持されている巻バネ３４の調整端３３ｂが、同方向に変位させられる。これにより、巻バネ３４の捻れ変形量が増加するので、発射力が大きくなる。
【００３９】
また、この操作とは逆に、摘６８を図２における反時計回り方向に回動すれば、変位部材４６は、ビス軸３９ａを軸として図６における時計回り方向に揺動変位し、巻バネ３４の調整端３３ｂも同方向に変位させられ、巻バネ３４の捻れ変形量が減少し、発射力が小さくなる。
【００４０】
こうした操作においては、摘６８に及ぼす回動力を解除すれば、回動鋸歯面５４ａと固定鋸歯面６２との歯合が復活し、その位置でカム部材５８とカバー部材６６との相対位置が固定され、変位部材４６の揺動変位位置も保持される。したがって、摘６８に外力を及ぼし続ける必要はない。
【００４１】
この遊技球発射装置１０では、揺動する打球杵１４および回転する駆動カム９８をベース板１２の前面１２ａ側に配したので、打球杵１４の揺動領域、駆動カム９８の回転領域（事実上他の部品を配置できない領域）はベース板１２の前面１２ａ側になる。ベース板１２の背面１２ｂ側は、そうした揺動や回転する部材のための領域を設ける必要はないから、ベース板１２の部品設置面積をフルに使用でき、モータ１８を取付け、モータ制御基板５ａ、５ｂをベース板１２に平行に取付けることが可能になる。モータ制御基板５ａ、５ｂが大型化しベース板１２上での占有面積が大きくなっても、ベース板１２を大型化する必要はなく、ひいては遊技球発射装置１０の大型化を防止することができる。
【００４２】
さらに、この遊技球発射装置１０は、操作ダイヤル１０２の回動量を、操作ギヤ８６、タイミングベルト８４、連動ギヤ８２、回動ギヤ８０を介して調節リング３２に伝達して巻バネ３４の捻れ変形量を調節する構造であるので、弾球遊技機のメーカーや機種に応じて操作ダイヤル１０２の取付位置が変更され操作ギヤ８６の位置の変更が必要になる場合には、操作ギヤ８６の取付位置を変更し、それに応じた周長のタイミングベルト８４を使用すればよく、さまざまな弾球遊技機のメーカーや機種すなわちさまざまな操作ギヤ８６の位置に合わせて、さまざまな寸法のギヤを用意したり、それらの取付位置を変更する必要はなくなり、設計及び製造面での遊技球発射装置１０のメーカーの負担は軽減される。
（変形例）
上記の例では２枚のモータ制御基板５ａ、５ｂをそれぞれ基板ケース６ａ、６ｂに収容しているが、例えば図７に示されるようにモータ制御基板（図示略）を１枚としてこれを収容する基板ケース６ｃをベース板１２の背面１２ｂに取付けてもよい。
【００４３】
以上、実施例に従って、本発明の実施の形態について説明したが、本発明はこのような実施例に限定されるものではなく、本発明の要旨を逸脱しない範囲でさまざまに実施できることは言うまでもない。
例えば操作ギヤ及び連動ギヤと歯合する歯山を有するタイミングベルトを使用しているが、操作ギヤ及び連動ギヤの歯山と係合する孔を有するタイミングベルトを用いることもできる。
【図面の簡単な説明】
【図１】実施例の遊技球発射装置の前面側の構造の説明図である。
【図２】実施例の遊技球発射装置の背面側の斜視図である。
【図３】実施例の遊技球発射装置の断面図である。
【図４】実施例の遊技球発射装置の駆動シャフトの周囲の分解斜視図である。
【図５】実施例の遊技球発射装置のスライド機構の分解斜視図である。
【図６】実施例の遊技球発射装置の調整カムと変位部材の相対位置の変化の説明図である。
【図７】変形例の遊技球発射装置の背面側の斜視図である。
【符号の説明】
５ａ…モータ制御基板    ５ｂ…モータ制御基板    ６ａ…基板ケース
６ｂ…基板ケース    １０…遊技球発射装置    １２…ベース板
１２ａ…前面    １２ｂ…背面    １２ｃ…軸受筒
１３ａ…上ストッパゴム    １３ｂ…下ストッパゴム    １４…打球杵
１４ａ…突上部    １４ｂ…脚    １４ｃ…シャフト溝    １４ｄ…ピン孔
１５…窓    １７…スライダ機構    １８…モータ    １８ａ…出力軸
１９…ケース    １９ａ…スライド孔    １９ｂ…突起
２０…バネ収容部    ２１…スライダ    ２１ａ…基部
２１ｂ…筒内摺動部    ２１ｃ…ローラ軸    ２１ｅ…芯保持部
２１ｆ…溝    ２１ｇ…孔    ２１ｈ…ネジ孔    ２２…駆動シャフト
２２ｃ…フランジ    ２３…圧縮バネ    ２４…軸受    ２７…ロッドピン
２８…ヒットアーム    ２８ａ…角穴    ２８ｂ…アームピン
２９…座付きネジ    ３０…アームローラ    ３１…ローラ
３２…調節リング    ３２ａ…ギヤ部    ３３ａ…回動端
３３ｂ…調整端    ３４…コイルバネ    ３５…スリットワッシャ
３６ａ…ナット    ３６ｃ…シャフト溝    ３８…保持キャップ
３８ａ…遊動穴    ３９ａ…ビス軸    ３９ｂ…ビス軸
４０…固定端    ４０ａ…軸穴    ４２…自由端    ４２ａ…長穴
４４…弓状部    ４６…変位部材（バネ端保持部材）
４８…圧縮コイルバネ    ５０…回動軸    ５２…調整カム
５４…円盤部    ５４ａ…回動鋸歯面    ５６…操作軸
５８…カム部材    ６０…貫通穴    ６２…固定鋸歯面
６４ａ…ビス穴    ６４ｂ…ビス穴    ６６…カバー部材    ６８…摘
７０…芯ビス    ７２ａ…ビス    ７２ｂ…ビス
７４…アダプタ    ７４ａ…角穴    ７４ｂ…突起    ７４ｃ…押さえ
７４ｄ…位置決ピン    ７５…ナット    ７６…盲穴
７８…リングストッパ    ８０…回動ギヤ    ８０ａ…軸
８２…連動ギヤ    ８２ａ…嵌合孔    ８３…座付ビス
８４…タイミングベルト    ８６…操作ギヤ    ８６ａ…中心孔
８７…座付ビス    ８８…係合穴    ９０…カップリング
９０ａ…軸孔    ９２…係合爪    ９８…駆動カム
１０２…操作ダイヤル    １０２ａ…ギヤ操作軸
【図１】
0003607483.tif 000002
【図２】
0003607483.tif 000003
【図３】
0003607483.tif 000004
【図４】
0003607483.tif 000005
【図５】
0003607483.tif 000006
【図６】
0003607483.tif 000007
【図７】
0003607483.tif 000008